(57)【要約】【課題】  冬季でのパソコンの使用において、消し忘れがなく、安全性の高い暖房器具を提供する。【解決手段】  暖房器具本体１に内蔵した電気抵抗加熱体２に接続しているコード３先端に、パソコンＰのＵＳＢ電源Ｑに接続可能なＵＳＢプラグ４を備える。暖房器具本体１は、スリッパ状の足温器、背当て用保温器、手袋状の保温器、膝掛け用保温器のいずれかに形成する。また、電気抵抗加熱体２は、加温および保温用の蓄熱剤５を封入した袋体６内に電気抵抗線７を配設して成るものとする。【選択図】          図２
0003115594.tif 000002
【実用新案登録請求の範囲】
【請求項１】
暖房器具本体に内蔵された電気抵抗加熱体に接続されているコード先端に、パソコンのＵＳＢ電源に接続可能なＵＳＢプラグを備えたことを特徴とする暖房器具。
【請求項２】
暖房器具本体は、スリッパ状の足温器、背当て用保温器、手袋状の保温器、膝掛け用保温器のいずれかに形成した請求項１記載の暖房器具。
【請求項３】
電気抵抗加熱体は、加温および保温用の蓄熱剤を封入した袋体内に電気抵抗線を配設して成る請求項１または２記載の暖房器具。
【考案の詳細な説明】
【技術分野】
【０００１】
本考案は、冬季におけるパソコン使用時に、身体である例えば足、手、膝、背等を冷やさないように保温するための暖房器具に関する。
【背景技術】
【０００２】
従来、職場のオフィスに設置されているパソコンは、朝に立ち上げられ、夜間の帰宅時に、電源がＯＦＦされる。このとき、冬季においては、オフィス内の壁等に設置されたＡＣ電源に接続される電気ヒーターが内蔵された例えばスリッパ状の足温器や膝掛け等の暖房器具によって、身体を暖めながらパソコンの操作を行なう。例えば、特許文献１に開示されているようなコードレスタイプの充電式スリッパ形足温器、特許文献２に開示されているような加熱および保温に蓄熱材を使用した足温器、特許文献３に開示されているような座布団兼用のコードレスタイプの足温器等が使用される。
【特許文献１】特開２００１−２９９８００号公報
【特許文献２】実開平０６−００３３１９号公報
【特許文献３】登録実用新案第３０６２０３０号公報
【考案の開示】
【考案が解決しようとする課題】
【０００３】
しかしながら、従来の暖房器具はＡＣ電源に接続されて使用するため、夜間の帰宅時に当該暖房器具をＡＣ電源から外すのを忘れてしまうことが多い。また、特許文献１乃至３の充電式暖房器具においても主スイッチを切るのを忘れてしまうことが多い。しかも、従来の暖房器具は、オフィス内に設置された交流１００Ｖ用のＡＣ電源を使用するため、電力消費量が大きくて非経済的である。
【０００４】
そこで、本考案は、叙上のような従来存した諸事情に鑑み案出されたもので、通常のＡＣ電源に接続する従来の暖房器具のように消し忘れがなく、安全性の高いものとすることができ、しかもオフィスの電力消費を少なくして経済的なものとすることができる暖房器具を提供することを目的とする。
【課題を解決するための手段】
【０００５】
上述した課題を解決するため、本考案にあっては、暖房器具本体に内蔵された電気抵抗加熱体に接続されているコード先端に、パソコンのＵＳＢ電源に接続可能なＵＳＢプラグを備えたものである。
【０００６】
暖房器具本体は、スリッパ状の足温器、背当て用保温器、手袋状の保温器、膝掛け用保温器のいずれかに形成することができる。
【０００７】
電気抵抗加熱体は、加温および保温用の蓄熱剤を封入した袋体内に電気抵抗線を配設して成るものとすることができる。
【０００８】
以上のように構成された本考案に係る暖房器具にあって、暖房器具本体の電気抵抗加熱体に接続されているコード先端のＵＳＢプラグをパソコンのＵＳＢ電源に常時接続しておく。そして、朝にパソコン電源を立ち上げると同時にＵＳＢ電源によって暖房器具本体が加熱され、夜間の帰宅時にパソコン電源のＯＦＦと同時に暖房器具本体が消熱される。
【考案の効果】
【０００９】
本考案によれば、通常のＡＣ電源に接続する従来の暖房器具のように消し忘れがなく、安全性の高いものとすることができ、しかもオフィスの電力消費を少なくして経済的なものとすることができる。
【００１０】
すなわち、暖房器具本体に内蔵された電気抵抗加熱体に接続されているコード先端に、パソコンのＵＳＢ電源に接続可能なＵＳＢプラグを備えたからであり、これにより、ＵＳＢプラグをパソコンのＵＳＢ電源に常時接続しておけば、朝にパソコン電源を立ち上げると同時にＵＳＢ電源がＯＮとなることによって暖房器具本体が加熱され、夜間の帰宅時にパソコン電源のＯＦＦと同時にＵＳＢ電源もＯＦＦとなるため、暖房器具本体を自動的に消熱することができる。
【００１１】
しかも、ＵＳＢ電源は電圧が低いため、スリッパ状の足温器、背当て用保温器、手袋状の保温器、膝掛け用保温器のいずれかによる暖房器具本体であっても自体の消費電力が少ない上に、安全性が高いものとなる。
【００１２】
また、電気抵抗加熱体は、加温および保温用の蓄熱剤を封入した袋体内に電気抵抗線を配設して成るので、ＵＳＢ電源の低電圧でも効率良く熱を発生したり、発生する熱を保温したりすることができる。
【考案を実施するための最良の形態】
【００１３】
以下、図面を参照して本考案を実施するための最良の一形態を説明すると、図において示される符号１は、冬季におけるパソコンＰ使用時に、身体の足部分を保温するためのスリッパ状の足温器として形成された暖房器具本体であり、該暖房器具本体１の足載せ箇所１Ａには、図１および図２に示すように、加温および保温用の例えばポリエチレングリコール等の蓄熱剤５を封入した袋体６内に電気抵抗線７を配設して成る電気抵抗加熱体２が内蔵されている。尚、図１中Ｐ１はプリンタ、Ｐ２はディスプレイ、Ｐ３はキーボード、Ｐ４はラック、Ｐ５はキャスターをそれぞれ示す。
【００１４】
また、図１および図２に示すように、この電気抵抗加熱体２の電気抵抗線は、暖房器具本体１の足載せ箇所１Ａの側面でコード３によって接続され、該コード３先端にはＵＳＢプラグ４を装着し、パソコンＰの周辺機器接続用としてのユニバーサルシリアルバスと称するＵＳＢ電源Ｑに接続可能としてある。
【００１５】
これによりパソコンＰの立ち上げでＵＳＢ電源Ｑによって電気抵抗加熱体２の電気抵抗線７が通電され、ＵＳＢ電源Ｑの低電圧でも効率良く熱を発生可能とした蓄熱剤５によって袋体６全体が加温した状態となり、暖房器具本体１の足載せ箇所１Ａに載せられている足の裏部分がこの電気抵抗加熱体２によって暖められるものとなる。
【００１６】
尚、この電気抵抗加熱体２自体は、暖房器具本体１の足載せ箇所上面に例えば両面テープ等で貼着されたり、あるいは足載せ箇所の内側に縫製されたりしても良い。また、電気抵抗線７自体は、通常のニクロム線を使用したり、自己温度調節可能な面状の発熱素子等を使用しても良い。
【００１７】
暖房器具本体１の他の形態としては、図３に示すように、身体の背中部分を保温するために椅子の背当て部分に配設された背当て用保温器としたり、図４に示すように、身体の手指部分を保温するための手袋状の保温器としたり、図５に示すように、身体の足膝部分を保温するための毛布状の膝掛け用保温器のいずれかに形成することができる。この他、座布団兼用の足温器としても良い。要は人体密着型の暖房器具であればいずれも使用可能なものである。
【００１８】
次に、以上のように構成された最良の形態についての使用、動作の一例について説明すると、先ず、暖房器具本体のＵＳＢプラグ４をパソコンＰのＵＳＢ電源Ｑに常時接続した状態にしておく。
【００１９】
朝にパソコンＰの電源を立ち上げると、ＵＳＢ電源Ｑが同時にＯＮ状態となることによって暖房器具本体１の電気抵抗加熱体２が通電状態となって加熱される。これにより身体を暖めながらパソコンＰの操作を行なうことができる。勿論、パソコンＰの操作以外の時にも使用が可能である。
【００２０】
一方、夜間の帰宅時には、パソコンＰの電源をＯＦＦにするとＵＳＢ電源Ｑも同時にＯＦＦとなるため、暖房器具本体１の電気抵抗加熱体２は非通電状態となって自動的に消熱される。これによって、従来の暖房器具のように消し忘れが防止され、安全性の高いものとなる。
【図面の簡単な説明】
【００２１】
【図１】本考案を実施するための最良の形態における足温器による暖房器具の使用状態を示す正面図である。
【図２】同じく足温器のＵＳＢプラグをパソコンのＵＳＢ電源に接続する状態の一部切欠斜視図である。
【図３】同じく椅子の背当て用保温器として形成した暖房器具の概略構成を示す斜視図である。
【図４】同じく手袋状の保温器として形成した暖房器具の概略構成を示す斜視図である。
【図５】同じく膝掛け状の保温器として形成した暖房器具の概略構成を示す斜視図である。
【符号の説明】
【００２２】
Ｐ    パソコン
Ｑ    ＵＳＢ（ユニバーサルシリアルバス）電源
１    暖房器具本体
１Ａ  足載せ箇所
２    電気抵抗加熱体
３    コード
４    ＵＳＢプラグ
５    蓄熱剤
６    袋体
７    電気抵抗線
【図１】
0003115594.tif 000003
【図２】
0003115594.tif 000004
【図３】
0003115594.tif 000005
【図４】
0003115594.tif 000006
【図５】
0003115594.tif 000007